(57)【特許請求の範囲】
【請求項１】
一端で台座に連結される連結部を持ち、他端に床を支持するパネル受けにネジ係合するネジ部を持ち、パネル受けを台座に対して高さ調節可能に支持する床支持ボルトにおいて、
周面に周方向に延びた破断溝が設けられていることを特徴とする床支持ボルト。
【請求項２】
上記破断溝が、上記ネジ部に設けられていることを特徴とする請求項１に記載の床支持ボルト。
【請求項３】
上記破断溝が、上記周面の全周に亘って設けられていることを特徴とする請求項１あるいは２に記載の床支持ボルト。
【請求項４】
上記床支持ボルトの上端面に設けられて上記床支持ボルトを回転させるための工具を受け入れるための第１の係合溝と、
上記破断溝に連通した位置に上記床支持ボルトを貫通して設けられ、上記床支持ボルトを上記破断溝で破断したとき、破断後の上記床支持ボルトの上端面に現れて床支持ボルトを回転させるための工具を受け入れるための第２の係合溝となるスリットとを備えていることを特徴とする請求項１〜３のいずれか一項に記載の床支持ボルト。
【請求項５】
上記ネジ部が周面部に軸方向溝を備えていることを特徴とする請求項１〜４のいずれか一項に記載の床支持ボルト。
【請求項６】
上記スリットが上記軸方向溝に連通して設けられていることを特徴とする請求項１〜５のいずれか一項に記載の床支持ボルト。
【請求項７】
上記床支持ボルトの上記ネジ部に嵌合して、上記床支持ボルトの上記破断溝に破断力を作用させ得る筒状部材を有する破断工具を備えていることを特徴とする請求項１〜６のいずれか一項に記載の床支持ボルト。
【請求項８】
上記破断工具の上記筒状部材が、上記床支持ボルトの上記第１あるいは第２の係合溝に係合し得る係合片を備えていることを特徴とする請求項７に記載の床支持ボルト。
【請求項９】
上記破断工具の上記筒状部材が、上記床支持ボルトの上記軸方向溝に係合し得る係合片を備えていることを特徴とする請求項７あるいは８に記載の床支持ボルト。
【請求項１０】
台座と、
上記台座から延びて上端部にネジ部を有する床支持ボルトと、
上記ネジ部にネジ係合して高さ調節可能に床を支持するパネル受けとを備えた床支持装置において、
上記床支持ボルトが請求項１〜９のいずれか一項に記載の床支持ボルトであることを特徴とする床支持装置。
【発明の詳細な説明】
【技術分野】
【０００１】
この発明は床支持ボルトおよび床支持装置に関し、特に一端で台座に連結され、他端で床を支持するパネル受けにねじ係合するネジ部を持ち、パネル受けを高さ調節可能に支持する床支持ボルトおよびそれを用いた床支持装置に関するものである。
【背景技術】
【０００２】
この発明の関する床支持装置として従来知られているものは、構造床である下部床（スラブ）上に配置した円錐台形の台座に立設された床支持ボルトと、この床支持ボルトのねじ部分に螺合して高さ調節可能に支持された床パネル受けとを備えた床支持装置であって、床パネル受け上に床パネルを乗せて構造床から所定の距離だけ離して支持し、このように支持された床パネル上に床材を敷き詰めるものである（例えば特許文献１および２参照）。
【０００３】
【特許文献１】実開平５−００５９８４号公報（図１）
【特許文献２】特開２００６−１１８３２４号公報
【発明の開示】
【発明が解決しようとする課題】
【０００４】
しかしながら、このような従来の床支持装置においては、建築物の設計によって下部床から床までの距離が大きく違っているため、床支持ボルトのねじ部による高さの微調節だけでは対応できず、予め用意して置いた数種類の長さの支持ボルトから、それぞれの床高さに適した床支持ボルトを選択した上で、更にねじ部による微調節をしなければならない。
【０００５】
また、想定される床高さ寸法に対応して数種類の長さの床支持ボルトを用意しておいても、建築物あるいは施工の状況によっては予め用意して置いた床支持ボルトの長さが合わないことがある。床を支持するためには、短すぎる床支持ボルトは採用できないため、余裕を持った長さ（長過ぎる）の床支持ボルトを選択して、施工作業時に支持ボルトの長すぎる部分が邪魔にならぬようにこの部分を切断しなくてはならない。
【０００６】
従来の床支持ボルトを用いる場合には、この切断作業は必要な床支持ボルトの長さが分かっていれば、床支持構造の敷設作業に入る前に予め床支持ボルトを切断しておくか、床パネルを床支持装置上に敷設した後で、床パネルの上面から上方に突出した長すぎる部分を切断することにより行う。
【０００７】
この切断作業は、敷設作業前に行うにしても、敷設作業中に行うにしても、一つ一つをカッターで切断したり、当て金を当ててハンマーで打撃を加えて折る作業は数が多いこと、所望の位置で切断することが困難であること等の理由で、煩雑で、時間の掛かる作業である。またネジ部にねじ係合したパネル受けの構造によっては、ハンマーで打撃すると床支持ボルトがパネル受けの下面の位置で折れてしまうことがあり、作業に相当の注意と熟練が必要であった。
【０００８】
また、床支持ボルトの破断後は、高さ調節をするために、ドライバ等のねじ回し工具を係合させて床支持ボルトを回転させるための係合溝が無くなっているため、床パネル受けの高さ調節ができないという不都合もあった。
【０００９】
従って、この発明の目的は、長さの異なる複数の床支持ボルトを用意する必要を無くし、所望の位置で現場で容易に破断できる床支持ボルトおよびそのような床支持ボルトを用いた床支持装置を提供することである。
【課題を解決するための手段】
【００１０】
この発明の床支持ボルトは、一端で台座に連結される連結部を持ち、他端に床を支持するパネル受けにねじ係合するネジ部を持ち、パネル受けを台座に対して高さ調節可能に支持する床支持ボルトにおいて、周面に周方向に延びた破断溝が設けられていることを特徴とする床支持ボルトである。
【００１１】
また、この発明の床支持装置は、台座と、上記台座から延びて上端部にネジ部を有する床支持ボルトと、上記ネジ部にネジ係合して高さ調節可能に床を支持するパネル受けとを備えた床支持装置において、上記床支持ボルトが、周面に周方向に延びた破断溝が設けられている床支持ボルトであることを特徴とする床支持装置である。
【発明を実施するための最良の形態】
【００１２】
実施の形態１．
本発明の床支持装置１は、図１および図２に示すように、コンクリートスラブ等の下床２上に複数個適当な間隔で配置されて、その上に上床３を乗せるための床パネル４を支持するためのものである。床支持装置１は、下床２上に設置される台座５と、台座５から上方に延びて上端部にネジ部６を有する床支持ボルト７と、床支持ボルト７のネジ部６にネジ係合して高さ調節可能に上床３を乗せる床パネル４を支持するパネル受け８とを備えている。
【００１３】
台座５は、図示の例では防振作用を持つゴム製の部材であって、ほぼ円錐台形あるいは釣り鐘型である。台座５の上部中央部には嵌合穴９が設けてあって、床支持ボルト７の下端部である連結部１０を受け入れて支持できるようにしてある。台座５と床支持ボルト７との結合は、図示のような連結部１０に膨出部を設けて嵌合穴９に圧入し、回転はできるが抜け出さないようなスナップ式構造によっているが、ねじ係合でも良い。
【００１４】
床支持ボルト７の上端部のネジ部６には、ほぼ正方形の板部材であるパネル受け８がネジ係合して高さ調節可能に支持されている。パネル受け８は、その上に床パネル４を介して上床３を支持するためのものであり、床支持ボルトのネジ部６を受け入れる中央穴１１を持つ例えば正方形の受け板１２を備えている。受け板１２の下面にはまた、フランジ１３がビス１４等によりパネル受け８に固定され、内ネジが形成されたスリーブ１５が中央穴１１に挿入されたボルト受け１６が設けられている。ボルト受け１６のスリーブ１５と床支持ボルト７のネジ部６との間のネジ係合により、パネル受け８の台座５に対する高さ調節ができる。
【００１５】
図３には床支持ボルト７を正面図で示し、図４には図３の床支持ボルト７を破断溝１７に沿って破断した状態を背面図で示す。床支持ボルト７は、圧縮力には充分な強度を持つが、例えば衝撃力に対しては比較的容易に破断する材料でできている。このような材料は、例えばＡＢＳ等のプラスチック材が適当であるが、その他にナイロン材、アルミニュウム、鉄等の金属も使用できる。これらの図に示されているように、床支持ボルト７は、上端部にネジ部６を持ち、下端部に連結部１０を持つボルト状の部材であり、外周面に周方向に延びた破断溝１７が設けられている。図示の例では破断溝１７は、ネジ部６の軸方向ほぼ中央の位置に全周に亘って設けられ、ほぼＶ字型の断面形を持っており、第１の側壁１８はネジ部６の軸心に直角な平面内にある環状の平面である。第２の側壁１９は、その径方向内端が第１の側壁１８上に描いた軸心と同心の円上にあり、径方向外端がネジの谷と一致しており、全体として僅かにねじれたほぼ円錐台形の側壁である。また、破断溝１７の幅は、最小幅がネジ部６のネジのピッチの０．５倍の幅であり、最大幅がネジのピッチの２．５倍の幅である。
【００１６】
床支持ボルト７の上端面には、床支持ボルト７を回転させるためのドライバー等のねじ回し工具を受け入れるための第１の係合溝２０が設けられている。図示の例では第１の係合溝２０は、ネジ部６を直径方向に横切る長さで、ねじ回し工具を受け入れるのに充分な深さを持つ直線状の溝である。床支持ボルト７のネジ部６にはまた、ネジ部６の周面部の軸方向長さ全体に亘って、直径方向に離間した軸方向溝２１を備えていて、これらの軸方向溝２１は第１の係合溝２０と連通している。
【００１７】
床支持ボルト７には更に、破断溝１７に連通した位置に、床支持ボルト７を径方向に貫通して設けられたスリット２２を備えている。この第２のスリット２２は、図４に示すように、床支持ボルト７を破断溝１７で破断したとき破断後の床支持ボルト７の上端面即ち破断溝１７の第１の側壁１８を含む破断面２３に現れて床支持ボルト７を回転させるためのねじ回し工具を受け入れるための第２の係合溝２４となる。図示の例では、第２の係合溝２４となるスリット２２は、軸方向溝２１に連通して設けられていて、幅が軸方向溝２１とも第１の係合溝２０とも同じである。
【００１８】
破断溝１７の形状は、上述の破断面２３がほぼ平面となり、ほぼ一定の位置に現れるのならば、どのような形でも良い。例えば幅も深さも同じで周方向に変化しない断面形の環状の溝でも良い（図１０参照）。
【００１９】
実施の形態２．
図５および図６には図１から図４に示す床支持ボルト７を低床用に使用する場合を示す。床支持ボルト７を用いた床支持装置を下床２から上床３までの間の寸法を小さくした低床用として使用する場合には、床支持ボルト７のネジ部６に低床用のパネル受け２５を螺合により取り付けて、パネル受け２５の上に床パネル４を支持し、更に床パネル４の上に上床３を乗せて床を仕上げる。
【００２０】
パネル受け２５は、床パネル４を直接支持する例えば正方形の受け板２６と、受け板２６を支持するとともに床支持ボルト７のネジ部６に螺合して高さ調節可能に床支持ボルト７に取り付けられたボルト受け２７とを備えている。低床用のパネル受け２５のボルト受け２７は、内ネジ２８を有するスリーブ部２９と、スリーブ部２９から下方に向かって延びて床支持ボルト７の台座５の大部分を受け入れる直径の大きな円筒部３０と、円筒部３０の下端から径方向外側に延びて床パネル４を支持するフランジ部３１とを備えている。このように、ボルト受け２７は、床支持ボルト７のネジ部６にスリーブ部２９で支持されて、床支持ボルト７の台座５近くの高さで床パネル４を支持することになり、下床２から上床３までの寸法を小さくすることができる。
【００２１】
このような低床用の床支持装置として用いる場合、床支持ボルト７に低床用のパネル受け２５を取り付けると、図５に示すように、床支持ボルト７のネジ部の上端部３３が床パネル４の頂面よりも上に突出してしまい、床パネル４の上に仕上げ材としての上床３を乗せることができない。
【００２２】
この様な状態のときに、床パネル４の頂面から突出した床支持ボルト７の上端部３３にハンマーなどで横方向に打撃を加えると、応力が破断溝１７に集中して床支持ボルト７は破断溝１７に沿って破断する。
【００２３】
図６にはこのようにして床支持ボルト７の上端部３３を取り除いて、床パネル４上に上床３を乗せた状態を示してある。床支持ボルト７の破断面２３は先に図３および図４に関連して説明したようにほぼ平面となっており、また破断面２３には第２の係合溝２４が現れている。従って、床パネル４高さ調節が必要な場合には、第２の係合溝２４にねじ回し工具を挿入して床支持ボルト７を台座５およびボルト受け２７に対して回転させれば、ネジ部６とボルト受け２７との間のネジジャッキ関係の係合によりボルト受け２７の高さを変えて、パネル受け２５および床パネル４の高さを調節することができる。
【００２４】
このように、図５および図６に示す床支持装置は低床用であるが、床支持ボルト７は図１〜図４に示す床支持装置にも共通に使用できる。従って、施工現場に搬送して準備しておく床支持ボルト７の種類の数を減らすことができる。また、施工作業中に床支持ボルト７を高さ寸法によって選択して使い分けるという手間が必要ない。
【００２５】
実施の形態３．
図７には高床用の床支持装置用に使用できる床支持ボルト４０をパネル受け４１と共に示す。この例では、パネル受け４１は図２に示すものと同様の構造であるが、より簡便な構造とされていて、ボルト受け４２の内ネジ付きのスリーブ１５がフランジ１３の下側にだけあって、上側には無く、受け板１２の中央穴１１内にまで延びていないことが相違している。
【００２６】
勿論必要があれば、図２に示すパネル受け８を使用することもできるし、図５および図６に示すパネル受け２５を使用することもできる。また、ボルト受け４２のフランジ１３よりも上側で受け板１２の中央穴１１内に挿入される内ネジの無いスリーブ部を設けることもできる。このようなスリーブ部は、受け板１２とボルト受け４２との位置決めとして作用させることができる。
【００２７】
床支持ボルト４０は、ネジ部６が長くされていて、互いに軸方向に離間して設けられた４つの破断溝４３を持っている。破断溝４３は、床支持ボルト４０の軸に直角な平面内の第１の側壁４４と、円錐面である第２の側壁４５とにより形成された幅および深さが一定の環状の溝であり、破断したときにほぼ平らな破断面を形成するようにネジ部６の全周に亘って延びている。床支持ボルト４０はまた、図１〜図６に示す床支持ボルトと同様に４つの破断溝４３と連通した係合溝となる３つのスリット２２と、破断溝４３およびスリット２２に連通した軸方向溝２１とを備えている。
【００２８】
床支持ボルト４０は更に、ネジ部６と台座５との間に、スリーブ４６を備えている。スリーブ４６は、床支持ボルト４３と同じ材料で作ることができ、また床支持ボルト４３の直径の大きな胴部分として一体に成型することもできるし、ネジ部６の一部に内ネジによって螺合した別部品として作ることもできるし、ネジ山が設けられていない部分に嵌合して止めナットなどで固定した円筒部材として作ることもできる。その他の構成は図１〜図６に示す床支持装置あるいは床支持ボルトと同様である。
【００２９】
実施の形態４．
図８には、例えば図３に示すような床支持ボルト７と共に用いて、床支持ボルト７のネジ部６に嵌合させて、床支持ボルト７の破断溝１７に破断力を作用させ得る筒状部材４７を有する破断工具４８を示してある。破断工具４８は筒状部材４７の頂壁４９から延びた取っ手５０を持っている。また、破断工具４８の筒状部材４７の頂壁４９の内面には、床支持ボルト７の係合溝２０に係合する係合片５１を備えている。この係合片５１は、破断工具４８を回転させることによって床支持ボルト７を高さ調節のために回転できるようにするものである。
【００３０】
この係合片５１はまた、床支持ボルト７のネジ部６の軸方向溝２１にも係合するような門型の形状にすることもできるし、係合溝２０には係合せずに軸方向溝２１だけに係合するような、破断工具４８の筒状部材４７の円筒形の内周面にだけ設けられた軸方向の突起とすることもできる。
【００３１】
破断工具４８の筒状部材４７を床支持ボルト７のネジ部６嵌合させると、筒状部材４７の円筒内周面がネジ部６のネジ山の稜線部分に接触し、係合片５１が係合溝２０に挿入された状態となる。この状態で取っ手５０に手であるいはハンマーで力を加えれば床支持ボルト７は破断溝１７に沿って破断して図９に示す状態となる。このとき破断した上端部３３は、ハンマーで打撃した場合のように跳ね飛ぶことなく、破断工具４８内に収納されていてるので回収作業が容易になる。
【００３２】
また、この破断工具４８は、破断前でも破断後でも、係合片５１を第１の係合溝２０あるいは第２の係合溝２４に係合させることができるので、床支持ボルト７を回転させて床の高さ調節をするための回転工具あるいはねじ回し工具としても使用できる。
【００３３】
以上に説明した実施の形態はこの発明を実施する場合の例であるので、それぞれの特徴を適宜取捨選択することも様々に組み合わせることもできるし、変形変更することもできる。例えば、床支持ボルト７が円筒面となったロッド部を持っている場合に、破断溝１７をネジ部６でなくロッド部に設けることもできる。また、破断溝は床支持ボルト７の全周でなく、一部だけに設けることもできるが、この場合には例えば床支持ボルトの表面に打撃すべき方向を表示することが望ましい。
【図面の簡単な説明】
【００３４】
【図１】本発明の第１実施形態の床支持ボルトおよび床支持装置の使用状況を示す概略斜視図である。
【図２】図１の支持ボルトおよび床支持装置の側面図である。
【図３】図２の床支持ボルトの側面図である。
【図４】図３の床支持ボルトの破断後の状態を反対側から見た側面図である。
【図５】本発明の第２実施形態の床支持ボルトおよび床支持装置を示す側面図である。
【図６】図５の床支持ボルトおよび床支持装置の破断後の状態を示す側面図である。
【図７】本発明の第３実施形態の床支持ボルトおよび床支持装置を示す側面図である。
【図８】本発明の第４実施形態の床支持ボルトの破断工具を示す側面断面図である。
【図９】図８の破断工具と床支持ボルトとの関係を示す側面図である。
【符号の説明】
【００３５】
１  床支持装置、２  下床、３  上床、４  床パネル、５  台座、６  ネジ部、７、４０、４３  床支持ボルト、８、２５、４１  パネル受け、１０  連結部、１７、４３  破断溝、２０  第１の係合溝、２１  軸方向溝、２２  スリット、２４  第２の係合溝、４８  破断工具、５１  係合片。
【図１】
0004507212.tif 000002
【図２】
0004507212.tif 000003
【図３】
0004507212.tif 000004
【図４】
0004507212.tif 000005
【図５】
0004507212.tif 000006
【図６】
0004507212.tif 000007
【図７】
0004507212.tif 000008
【図８】
0004507212.tif 000009
【図９】
0004507212.tif 000010